(57)【要約】【課題】衣類等を長時間かけた後でも掛け皺が付きにくく、再度アイロンがけ等をしなくても、すぐに使用することが可能なハンガーを提供。【解決手段】吊るす対象物を支持する掛部を有するハンガーであって、掛部は、重力方向と逆方向に向けて山形に湾曲している。【選択図】    図１
2004275576.tif 000002
【特許請求の範囲】
【請求項１】
吊す対象物を支持する掛部を有するハンガーであって、前記掛部は重力方向と逆方向に向けて山形に湾曲していることを特徴とするハンガー。
【発明の詳細な説明】
【０００１】
【発明が属する技術分野】
本発明は、特にスラックス、スカート等を吊すための衣服用ハンガーであるが、ハンガー的機能を有するもの全ての技術分野に関する。
【０００２】
【従来の技術】
従来から洋服掛け等のハンガー（特許出願公開番号：特開２０００−３３３８１３及び特開２０００−０６０７１５で図示されているハンガー本体部分がその例）が知られている。ハンガーは吊す対象物に直接触れて対象物を支持する部分と、その掛部分を外部等に固定する部分から構成され、吊す対象物を支持することができる。そのため衣類等を吊り下げるために利用されている。近年、クリーニング店等から支給される針金三角ハンガーを洋服かけとして日常的に用いる人が増えている。
【０００３】
これらの人は、スラックス等を掛けるのに針金三角ハンガー（以下、単にハンガーとも言う）を用いることが多い。図４は、従来のハンガーの模式図である。従来のハンガー４０は、洋服ダンス等に設けられた、例えば棒状の支持体Ｓに掛けるための吊鉤部４１と、スラックス等の対象物Ｈを掛ける掛部４２とを有する。掛部４２は、ハンガー４０を支持体Ｓに掛けた際に、地表面に対してほぼ水平な方向に延在する。
【特許文献１】特開２０００−３３３８１３号
【特許文献２】特開２０００−０６０７１５号
【０００４】
【発明が解決しようとしている課題】
しかし、従来のハンガー、特に上記針金製三角ハンガーは、スラックス等の対象物Ｈを掛部４２に掛けると、図５に示すように、掛部４２が対象物Ｈの重みによって下方に向けて湾曲する（図中、吊す前の状態を破線で示し、スラックス等を吊した後、その重みで曲がった状態を実線で示している）。その結果、対象物Ｈの掛部４２と接している部分の両端Ｈ１，Ｈ２が掛部４２の中央Ｈ０に向けて重力によって滑り落ちてくるため、所謂掛け皺が生ずる。
【０００５】
また、上記掛部４２の湾曲化に起因する皺のみならず、対象物Ｈの特定部分が掛部４２と長時間接触し続けることによって、それに起因する掛け皺（掛部４２に掛けた跡形）も生じる。その結果、使用時に再度アイロンがけ等を施さなければならないという問題が生ずる。したがって、本発明は、従来の課題を解決し、衣類等を長時間掛けた後でも掛け皺が付きにくく、再度アイロンがけ等をしなくても、すぐに使用することが可能なハンガーを提供することを目的とする。
【０００６】
【課題を解決するための手段】
上記課題を解決するために、本発明にもとづくハンガーは、外部の支持体と係合する吊鉤部と、吊す対象物を支持する掛部とを少なくとも有するハンガーであって、前記掛部は、重力方向と逆方向に向けて山形に湾曲している。したがって、ハンガーに対象物を吊しても、掛け皺等が付きにくくなる。なお、このようなハンガーは、前記吊鉤部を頂点とし、前記掛部を底辺とする略三角状のもの、または前記掛部の両端に吊鉤部が設けられた構成等であってもよい。
【０００７】
【発明の実施の形態】
以下、図面を参照して、この発明のハンガーについて説明する。
【０００８】
図１は、本発明にもとづくハンガーの一実施形態を示す。この実施形態のハンガー１は、針金等からなる略三角形状であり、その頂点にあたる部分に鉤爪状をなし、かつ上方に突設された吊鉤部２、またその底辺にズボン等を掛けるための掛部３が設けられている。
【０００９】
吊鉤部２は、洋服ダンス等に設けられた支持体Ｓに着脱自在に係合する。一方、掛部３は、吊す対象物Ｈ、例えばスラックスを掛ける部分である。
【００１０】
掛部３は、重力方向と逆方向に向けて山形に湾曲している。すなわちその両端から中央部に向け、吊鉤部３の方向に山形となった湾曲部３ａを有し、さらに湾曲部３ａは、掛部３に掛ける対象物（例えば、スラックス）Ｈが触れる部分となる。
【００１１】
したがって、ハンガー１の使用時において、掛部３の湾曲部３ａが緩やかに湾曲した山形となっていることから、このようなハンガー１に対象物Ｈを吊した場合、図２に示すように対象物Ｈは掛部２によって支持されている部分の中央Ｈ０に向けてその部分の両端部Ｈ１，Ｈ２が滑り落ちるようなことはない。その結果、対象物Ｈに所謂掛け皺が生じにくくなる。
【００１２】
また、掛部３の湾曲部３ａとＨとの接触部分が可変（ハンガー１が支持体Ｓを軸に振り子運動すること等により可変。本実施形態においては頻繁な可変が期待できる。）するので、対象物Ｈの特定部分が掛部３と長時間接触することによる掛け皺（Ｈを掛部３への掛けた跡形）が生じにくい。
【００１３】
したがって、「図５の掛部４２のようなハンガーの変形」が生じてしまうことがない素材においても、長時間掛けた場合等、掛け皺（Ｈを掛部１１への掛けた跡形）が生ずるが、湾曲部３ａを有することにより掛け皺等が生じにくい。
【００１４】
図３は、本発明にもとづくハンガーの、別の実施形態を示す。この実施形態のハンガー１０は、吊す対象物Ｈ、例えばスラックスを支える掛部１１と、当該掛部１１の両端にそれぞれ垂直に立設され、かつ同一平面上で互いに平行して同一方向に延びる吊鉤部１１ａ、１１ｂとを有する。
【００１５】
吊鉤部１１ａ、１１ｂは、外部の支持体Ｓ１，Ｓ２に着脱自在に係合する。また、掛部１１は、吊鉤部１１ａ、１１ｂが延在する方向に山形となった湾曲部１２を有する。
【００１６】
したがって、ハンガー１０の使用時において、掛部１１の湾曲部１２が重力方向と逆方向に緩やかに湾曲した山形となっていることから、このようなハンガー１０に対象物を吊した場合、図１および図２に示したハンガー１の場合と同様に、対象物は掛部１１によって支持されている部分の中央に向けて、その部分の両端部が滑り落ちてくるようなことはない。その結果、対象物Ｈに所謂掛け皺が生じにくい。
【００１７】
また、掛部１１が湾曲部１２を有しているが故に、図３の１２とＨとの接触部分が可変（他の衣類の掛け外し時等に、Ｈの位置が若干変動する等により可変）するので、Ｈの特定部分が掛部１１と長時間接触することによる掛け皺（Ｈを掛部１１への掛けた跡形）が生じにくい。
【００１８】
したがって、「図５の掛部４２のようなハンガーの変形」が生じてしまうことがない素材においても、長時間掛けた場合、掛け皺（Ｈを掛部１１への掛けた跡形）が生ずるが、湾曲部１２を有することにより掛け皺等が生じにくい。
【００１９】
このように、上記実施形態のハンガーは、いずれも、吊す対象物が触れる部分が重力方向と逆方向に向けて山形に湾曲した湾曲部を有するため、この湾曲部により、スラックス等とハンガーとの接点において特定の部分に荷重がかかりにくくなる等により、とりわけスラックスをはいた時に膝側になる部分と膝の裏側になる部分（所謂アイロンの線付近の部分、従来のものでは皺ができやすい部分）、更には、掛部にスラックス等が直接に接している部分全般に、それらの皺が付きにくくなるようにすることが可能となる。
【００２０】
以上、本発明にもとづくハンガーの一実施形態について説明した。しかし、本発明はかかる実施形態に限定されず、その技術思想の範囲で種々の変更が可能である。したがって、可塑性の製品を製造し、それらを吊すような生産現場等、工業用品その他全てのものにおいても跡形が付きにくい効果が期待される。また、ハンガーの構成素材も針金に限定されるものではなく、木材、プラスチック等その他の材質からなるものであってもよい。
【００２１】
【発明の効果】
以上説明したように、本発明のハンガーは、吊す対象物を支持する掛部を有し、その掛部は重力方向と逆方向に向けて山形に湾曲しているハンガーであるため、この湾曲により、例えば発明の実施形態の例においては、スラックス等とハンガーとの接点において特定の部分に荷重がかかりにくくなる等により、とりわけスラックスをはいたときに膝側になる部分と膝の裏側になる部分（所謂アイロンの線付近の部分）、更には、掛部にスラックス等が直接に接している部分全般に、従来のものでは皺ができやすいが、それらの皺が付きにくくなるようにすることが可能となる。
【図面の簡単な説明】
【図１】本発明のハンガーの一実施形態例の構成を説明するための正面図である。
【図２】図１に示すハンガーの使用時を説明するための正面図である。
【図３】本発明のハンガーの他の実施形態例の構成を説明するための正面図である。
【図４】従来のハンガーの構成を説明するための正面図である。
【図５】図４に示す従来のハンガーの使用時を説明するための正面図である。
【符号の説明】
１              ハンガー
２              吊鈎部
３              掛部
３ａ              湾曲部
１０            ハンガー
１１            掛部
１１ａ、１１ｂ    吊鈎部
１２            湾曲部
【図１】
2004275576.tif 000003
【図２】
2004275576.tif 000004
【図３】
2004275576.tif 000005
【図４】
2004275576.tif 000006
【図５】
2004275576.tif 000007